(57)【特許請求の範囲】
【請求項１】
溶剤を用いて所定温度で溶融させた鉄・錫含有銅の鉄を酸化する鉄酸化工程と、
前記鉄酸化工程で得られる溶融メタルをスラグと分離して鋳造する鋳造工程と、
前記鋳造工程で得られたメタルを溶剤とともに再度溶融し、溶融したメタル中の錫を、炭酸ソーダの存在下で酸化する錫酸化工程と、を含むことを特徴とする鉄・錫含有銅の処理方法。
【請求項２】
前記鉄酸化工程前の鉄・錫含有銅は、鉄を５ｍａｓｓ％〜２５ｍａｓｓ％含み、錫を１ｍａｓｓ％〜８ｍａｓｓ％含むことを特徴とする請求項１記載の鉄・錫含有銅の処理方法。
【請求項３】
前記鉄酸化工程および前記錫酸化工程で用いる溶剤は、珪砂および石灰石であることを特徴とする請求項１または２記載の鉄・錫含有銅の処理方法。
【請求項４】
前記鉄酸化工程における溶湯温度は、１３００℃〜１４００℃であることを特徴とする請求項１〜３のいずれかに記載の鉄・錫含有銅の処理方法。
【請求項５】
前記錫酸化工程における溶湯温度は、１２００℃〜１２７０℃であることを特徴とする請求項１〜４のいずれかに記載の鉄・錫含有銅の処理方法。
【請求項６】
溶湯に冷材を投入することによって前記溶湯温度を調整することを特徴とする請求項４または５記載の鉄・錫含有銅の処理方法。
【請求項７】
前記冷材は、鉄・錫含有銅であることを特徴とする請求項６記載の鉄・錫含有銅の処理方法。
【請求項８】
前記鉄酸化工程において、溶湯中の酸素濃度を２ｍａｓｓ％以下に調整することを特徴とする請求項１〜７のいずれかに記載の鉄・錫含有銅の処理方法。
【請求項９】
前記鉄酸化工程において、前記鉄酸化工程で得られるスラグ中の銅濃度を５ｍａｓｓ％以下に調整することを特徴とする請求項１〜８のいずれかに記載の鉄・錫含有銅の処理方法。
【発明の詳細な説明】
【技術分野】
【０００１】
本発明は、鉄・錫含有銅の処理方法に関する。
【背景技術】
【０００２】
特許文献１では、「廃棄物の処理によって得られた銅を主体とする溶融体から不純物金属を分離除去して高純度の銅メタルを回収する方法であって、
（イ）上記溶融体に「鉄源」とカルシウム源を添加して溶融体中の酸素濃度を０.６から１.０ｍａｓｓ％にした酸化熔錬を行うことによって、亜酸化銅−酸化鉄を主体とする酸化カルシウム含有スラグ（亜酸化銅−酸化鉄系スラグと云う）を形成して上記溶融体に含まれる不純物金属をスラグ化し、当該スラグを分離する第一工程と、
（ロ）第一工程でスラグ化した不純物金属を除去した溶融体にカルシウム源を添加して溶融体中の酸素濃度を０．８ｍａｓｓ％から１．１ｍａｓｓ％にした酸化熔錬を行うことによって、亜酸化銅−酸化カルシウムを主体とするスラグ（亜酸化銅−酸化カルシウム系スラグと云う）を形成して上記溶融体に残留する不純物金属をスラグ化し、該スラグを分離する第二工程とを有することを特徴とする高純度銅の回収方法である。」旨の記載がある。
【先行技術文献】
【特許文献】
【０００３】
【特許文献１】特開２００３−１９３１４７号公報
【発明の開示】
【発明が解決しようとする課題】
【０００４】
しかしながら、特許文献１の方法では、鉄・錫含有銅から鉄および錫を効率よく除去することができない。
【０００５】
本発明は上記の課題に鑑み、鉄・錫含有銅から鉄および錫を効率よく除去することができる鉄・錫含有銅の処理方法を提供することを目的とする。
【課題を解決するための手段】
【０００６】
本発明に係る鉄・錫含有銅の処理方法は、溶剤を用いて所定温度で溶融させた鉄・錫含有銅の鉄を酸化する鉄酸化工程と、鉄酸化工程で得られる溶融メタルをスラグと分離して鋳造する鋳造工程と、鋳造工程で得られたメタルを溶剤とともに再度溶融し、溶融したメタル中の錫を、炭酸ソーダの存在下で酸化する錫酸化工程と、を含むことを特徴とするものである。本発明に係る鉄・錫含有銅の処理方法によれば、鉄・錫含有銅から鉄および錫を効率よく除去することができる。
【０００７】
前記鉄酸化工程前の鉄・錫含有銅は、鉄を５ｍａｓｓ％〜２５ｍａｓｓ％含み、錫を１ｍａｓｓ％〜８ｍａｓｓ％含んでいてもよい。前記鉄酸化工程および前記錫酸化工程で用いる溶剤は、珪砂および石灰石としてもよい。前記鉄酸化工程における溶湯温度は、１３００℃〜１４００℃としてもよい。前記錫酸化工程における溶湯温度は、１２００℃〜１２７０℃としてもよい。
【０００８】
溶湯に冷材を投入することによって前記溶湯温度を調整してもよい。前記冷材は、鉄・錫含有銅としてもよい。前記鉄酸化工程において、溶湯中の酸素濃度を２ｍａｓｓ％以下に調整してもよい。前記鉄酸化工程において、前記鉄酸化工程で得られるスラグ中の銅濃度を５ｍａｓｓ％以下に調整してもよい。
【発明の効果】
【０００９】
本発明によれば、鉄・錫含有銅から鉄および錫を効率よく除去することができる鉄・錫含有銅の処理方法を提供することができる。
【図面の簡単な説明】
【００１０】
【図１】実施形態に係る鉄・錫含有銅の処理方法を示すフロー図である。
【図２】脱鉄工程における経過時間と各成分の濃度変化を表す図である。
【図３】脱鉄工程における経過時間と各成分の濃度変化を表す図である。
【発明を実施するための形態】
【００１１】
以下、本発明を実施するための実施形態について説明する。
【００１２】
（実施形態）
以下に、実施形態に係る鉄・錫含有銅の処理方法の内容を説明する。本処理方法は、鉄・錫含有銅から鉄および錫を効率よく除去することを目的としている。本実施形態において対象とする鉄・錫含有銅は、一例として、鉄を５ｍａｓｓ％から２５ｍａｓｓ％、錫を１ｍａｓｓ％から８ｍａｓｓ％、銅を５０ｍａｓｓ％から８０ｍａｓｓ％含有する。図１に示す処理フローに沿って、本実施形態に係る鉄・錫含有銅の処理方法について説明する。
【００１３】
（脱鉄工程（鉄酸化工程））
まず、第一工程として、鉄を酸化除去する脱鉄工程を実施する。脱鉄工程では、上記の鉄・錫含有銅を炉内に投入し、溶剤を投入する。溶剤として、例えば、珪砂（ＳｉＯ２）および石灰石（ＣａＣＯ３）を投入する。例えば、２５トンから３０トンの鉄・錫含有銅に対して、硅砂を２．５トンから３トン、石灰石を３．５トンから４．５トン投入する。
【００１４】
鉄・錫含有銅が投入される炉は、特に限定されるものではない。一例として、転炉、上吹き炉などを用いることができる。鉄・錫含有銅および溶剤を投入した後、プロパンガス、重油等の燃焼熱を用いて炉を加熱することによって、鉄・錫含有銅を溶融させ、溶融メタルとする。プロパンガスは硫黄分が低いので、排気ガスの処理軽減の観点からは、プロパンガスを用いることが好ましい。炉内の溶湯の温度は、１３００℃〜１４００℃に維持することが好ましい。銅の酸化を抑制しつつ効率よく鉄を酸化除去することができるからである。銅の酸化をより抑制するためには、炉内の溶湯の温度は、１３００℃〜１３５０℃に維持することが好ましい。
【００１５】
次に、溶融メタル中に酸素含有ガス（例えば空気）を吹き込む。一例として、羽口から空気を３００Ｎｍ３／ｈ〜４００Ｎｍ３／ｈの流量で４時間〜５時間程度吹き込む。羽口は、例えば、炉の側壁に、２箇所〜６箇所程度設けられていることが好ましい。空気の吹き込み量は、例えば、５０００Ｎｍ３／バッチ〜７０００Ｎｍ３／バッチとする。酸素含有ガスの吹き込みによって溶融メタル中の鉄が酸化し、スラグに移動する。それにより、溶融メタルから鉄が除去される。
【００１６】
なお、鉄の酸化の際に酸化熱が発生する。そこで、溶湯の温度が過度に上昇することを抑制する目的で、溶湯に冷材を投入する。ただし、冷材を投入した際に、溶融メタル中の酸素濃度が２ｍａｓｓ％以下となるように調整することが好ましい。銅ロスを抑制するためである。より銅ロスを抑制するためには、溶融メタル中の酸素濃度が１ｍａｓｓ％以下となるように調整することが好ましい。
【００１７】
冷材は、特に限定されるものではない。一例として、故銅を冷材として用いることが好ましい。故銅中の不純物も除去可能となるからである。例えば、鉄および錫の少なくともいずれか一方を含む故銅を冷材として用いることが好ましい。または、故銅として、めっき屑などの低品位のリサイクル品を用いてもよい。高品位の故銅を用いてもよいが、低品位の故銅を用いた方が経済的である。
【００１８】
冷材として故銅を用いる場合、出発原料の鉄・錫含有銅に対して冷材の投入量は、やや少ない量であることが好ましい。例えば、鉄・錫含有銅２５トンから３０トンに対して冷材の投入量を２０トン〜３０トンとすることが好ましい。一例として、故銅として、鉄を５ｍａｓｓ％から１０ｍａｓｓ％、錫を１ｍａｓｓ％から１０ｍａｓｓ％、銅を７０ｍａｓｓ％から９０ｍａｓｓ％含むものを用いる。
【００１９】
表１、表２、図２および図３は、脱鉄工程における経過時間と各成分の濃度変化を表す図である。図２および図３において、横軸は経過時間を表す。図２の縦軸は、脱鉄工程におけるメタル中の鉄濃度、スラグ中の錫濃度、およびスラグ中の銅濃度を示す。図３の縦軸は、メタル中の錫濃度、メタル中の酸素濃度、およびメタル中の鉄濃度を示す。
【００２０】
【表１】
0005518775.tif 000002
【００２１】
【表２】
0005518775.tif 000003
【００２２】
表１、表２、図２および図３に示すように、時間の経過とともに、鉄・錫含有銅中の鉄濃度が低下する。したがって、酸素含有ガスの吹き込みによって鉄が酸化除去されていることがわかる。鉄の酸化除去がある程度進行した後、錫が酸化除去される。しかしながら、この場合、錫の酸化とともに銅も酸化するため、銅ロスが大きくなってしまう。したがって、脱鉄工程において、銅のロスを抑制することが好ましい。
【００２３】
例えば、銅ロスが１０ｍａｓｓ％以下に保たれるように、脱鉄工程を実施することが好ましい。なお、この場合の銅ロスとは、スラグ中の銅品位（ｍａｓｓ％）である。
【００２４】
（スラグ排出・鋳造工程）
脱鉄工程後、炉からスラグを排出する。また、溶融メタルを鋳型に流し込んで冷却することによって鋳造する。この場合、鉄除去用スラグが除去された後に後述の錫除去用スラグが生成されることから、鉄除去用スラグと錫除去用スラグとが混合することが抑制される。それにより、後述の脱錫工程における錫除去効率低下を抑制することができる。
【００２５】
脱鉄工程後に排出されるスラグ成分は、例えば、鉄が２５ｍａｓｓ％から４５ｍａｓｓ％、錫が０．５ｍａｓｓ％から２ｍａｓｓ％、銅が５ｍａｓｓ％以下（例えば、１ｍａｓｓ％から５ｍａｓｓ％）である。また、鋳造によって得られるメタル（銅地金）は、例えば、鉄が０．２ｍａｓｓ％から２ｍａｓｓ％、錫が２ｍａｓｓ％から４ｍａｓｓ％、銅が９０ｍａｓｓ％から９５ｍａｓｓ％である。このように、脱鉄工程を経ることによって、鉄・錫含有銅中の鉄濃度を大幅に低下させることができる。また、スラグ排出工程および鋳造工程を経ることによって、高濃度の鉄を含むスラグを排出することができる。
【００２６】
（脱錫工程（錫酸化工程））
次に、脱錫工程を実施する。まず、上記銅地金および溶剤を再び炉に投入する。脱錫工程における溶剤として、例えば、珪砂および石灰石を投入する。例えば、鉄・錫含有銅２５トンから２７トンに対して、硅砂を０．８トンから１．５トン、石灰石を１トンから２トン投入する。さらに、錫を効率よく除去するための脱錫剤として、炭酸ソーダ（Ｎａ２ＣＯ３）を投入する。例えば、鉄・錫含有銅２５トンから２７トンに対して、炭酸ソーダを２トンから３トン投入する。
【００２７】
鉄・錫含有銅が投入される炉は、特に限定されるものではない。一例として、転炉、上吹き炉などを用いることができる。銅地金、溶剤、および脱錫剤を投入した後、重油、プロパンガス等の燃焼熱を用いて炉を加熱することによって、銅地金を溶融させ、溶融メタルとする。炉内の溶湯の温度は、１２００℃〜１２７０℃に維持することが好ましい。銅の酸化を抑制しつつ効率よく錫を酸化除去することができるからである。
【００２８】
次に、溶融メタル中に酸素含有ガス（例えば空気）を吹き込む。一例として、羽口から空気を３００Ｎｍ３／ｈ〜４００Ｎｍ３／ｈの流量で１．５時間〜２．５時間程度吹き込む。羽口は、例えば、炉の側壁に、２箇所〜６箇所程度設けられていることが好ましい。銅の酸化を抑制するために、脱鉄工程の際に用いた羽口数よりも脱錫工程の際に用いる羽口数を減らしてもよい。空気の吹き込み量は、例えば、５０００Ｎｍ３／バッチ〜７０００Ｎｍ３／バッチとする。酸素含有ガスおよび脱錫剤によって溶湯中の錫が酸化し、スラグに移動する。それにより、錫が除去される。
【００２９】
なお、脱錫工程においても溶湯温度調整のために冷材を炉内に投入することが好ましい。例えば、鋳造工程で得られた銅地金と鉄・錫が同程度の品位の故銅を冷材として用いてもよい。また、銅地金よりも高品位の故銅（鉄が０．２ｍａｓｓ％から２ｍａｓｓ％、錫が０ｍａｓｓ％から４ｍａｓｓ％、銅が９０ｍａｓｓ％から９８ｍａｓｓ％）を冷材として用いてもよい。高品位の故銅として、アノードの未電解部分（鋳返しアノード）等を用いてもよい。高品位の故銅を投入することによって、溶融メタルの汚染を抑制することができるからである。また、同時に鋳返しアノードの溶解に使用できることになるからである。
【００３０】
脱錫工程を経て得られた銅地金の各成分は、例えば、鉄が０．０５ｍａｓｓ％から０．２５ｍａｓｓ％、錫が０．２ｍａｓｓ％から１．０ｍａｓｓ％、銅が９６ｍａｓｓ％から９９ｍａｓｓ％である。また、脱錫工程で得られたスラグの各成分は、例えば、鉄が１０ｍａｓｓ％から２５ｍａｓｓ％、錫が３ｍａｓｓ％から１５ｍａｓｓ％、銅が８ｍａｓｓ％から１５ｍａｓｓ％である。このように、脱鉄工程、スラグ排出工程、鋳造工程、および脱錫工程を実施することによって、効率よく鉄および錫を除去することができる。
【００３１】
以下、本発明の実施例について説明するが、実施例は例示目的であって発明が限定されることを意図しない。
【実施例】
【００３２】
出発原料として、鉄１５ｍａｓｓ％、錫５ｍａｓｓ％、銅７５ｍａｓｓ％の鉄・錫含有銅を用いた。このような鉄・錫含有銅は、ブラック銅と称されることもある。図１に示す処理フローに沿って、各工程を実施した。
【００３３】
（脱鉄工程）
まず、第一工程として、鉄を除去する処理を行った。脱鉄工程では、上記鉄・錫含有銅を転炉に投入し、溶剤である硅砂および石灰石を投入した。鉄・錫含有銅２７トンに対して、硅砂を２．７トン、石灰石を４．０トン投入した。鉄・錫含有銅の投入後、重油の燃焼熱により炉内の温度を上昇させ、空気を吹き込んだ。不純物である鉄の酸化熱により、炉内の温度がさらに上昇した。
【００３４】
空気は、３５０Ｎｍ３／ｈの流量で４時間、羽口から供給した。羽口は、炉の側壁に、４箇所配置した。空気は、６０００Ｎｍ３／バッチ吹き込んだ。空気を吹き込み続けると溶湯温度が１３５０℃以上となるため、冷材として故銅を投入した。なお、溶融メタル中の酸素濃度が、１ｍａｓｓ％以下となるようにした。
【００３５】
２５トンの故銅を、昇温状況を把握しながら断続的に投入した。故銅として、鉄を５ｍａｓｓ％から１０ｍａｓｓ％、錫を２ｍａｓｓ％から４ｍａｓｓ％、銅を７０ｍａｓｓ％から９０ｍａｓｓ％含むものを用いた。脱鉄工程を経て得られた脱鉄銅の各成分は、鉄が０．２ｍａｓｓ％から２ｍａｓｓ％、錫が２ｍａｓｓ％から４ｍａｓｓ％、銅が９０ｍａｓｓ％から９５ｍａｓｓ％であった。
【００３６】
（スラグ排出・鋳造工程）
次に、炉内のスラグを排出し、溶融メタルを鋳型で鋳造した。排出したスラグの各成分は、鉄が２５ｍａｓｓ％から４５ｍａｓｓ％、錫が０．２ｍａｓｓ％から２ｍａｓｓ％、銅が１ａｍｓｓ％から５ｍａｓｓ％であった。また、鋳造で得られた銅地金の各成分は、鉄が０．２ｍａｓｓ％から２ｍａｓｓ％、錫が２ｍａｓｓ％から４ｍａｓｓ％、銅が９０ｍａｓｓ％から９５ｍａｓｓ％であった。
【００３７】
（脱錫工程）
次に、鋳造で得られた銅地金を炉に再び投入し、溶剤である硅砂および石灰石を投入し、脱錫剤である炭酸ソーダを投入した。この際、銅地金２６トンに対して、硅砂を１．２トン、石灰石を１.５トン、炭酸ソーダを２.５トン投入した。銅地金、溶剤および脱錫剤の投入後、重油の燃焼熱により炉内の温度を上昇させ、空気を吹き込んだ。
【００３８】
空気は、３５０Ｎｍ３／ｈの流量で２時間、羽口から供給した。羽口は、炉の側壁に、２箇所配置した。空気は、６０００Ｎｍ３／バッチ吹き込んだ。空気を吹き込み続けると溶湯温度が１３５０℃以上となるため、冷材として故銅を投入した。故銅として、鉄を０．２ｍａｓｓ％から２ｍａｓｓ％、錫を０ｍａｓｓ％から４ｍａｓｓ％、銅を９０ｍａｓｓ％から９８ｍａｓｓ％含むものを用いた。
【００３９】
脱錫工程後に得られた銅地金の各成分は、鉄が０．０５ｍａｓｓ％から０．２５ｍａｓｓ％、錫が０．２ｍａｓｓ％から１．０ｍａｓｓ％、銅が９６ｍａｓｓ％から９９ｍａｓｓ％であった。脱錫工程で得られたスラグの各成分は、鉄が１０ｍａｓｓ％から２５ｍａｓｓ％、錫が３ｍａｓｓ％から１５ｍａｓｓ％、銅が８ｍａｓｓ％から１５ｍａｓｓ％であった。
【００４０】
実施例の結果によれば、脱鉄工程、スラグ排出工程、鋳造工程、および脱錫工程を実施することによって、鉄・錫含有銅中の鉄および錫を効率よく除去することができた。
【００４１】
以上、本発明の実施例について詳述したが、本発明は係る特定の実施例に限定されるものではなく、特許請求の範囲に記載された本発明の要旨の範囲内において、種々の変形・変更が可能である。
【図１】
0005518775.tif 000004
【図２】
0005518775.tif 000005
【図３】
0005518775.tif 000006